(57)【要約】【課題】顧客が支払処理を行わずに商品を持って行ってしまうという不正の発生を防止する。【解決手段】商品保持部Ｂに保持された商品Ｘの支払いの際には、支払処理装置３０は、顧客から支払金額を受け付けると、支払判定部３２が、当該支払金額と、商品登録処理装置２０による登録後に商品を保持して施錠手段Ｂ１により施錠された商品保持部Ｂ内の商品における販売金額との大小関係を判定する。開錠部３３は、支払判定部３２が支払金額が販売金額と一致することを判定すると、施錠手段Ｂ１を開錠する。このような支払システム１０（または支払処理装置３０）により、顧客による、登録処理が完了された商品Ｘを支払処理を行わずに持ち出す等の不正を防止することができるようになる。【選択図】図１
2014203101.tif 000002
【特許請求の範囲】
【請求項１】
商品の支払処理を実行する支払処理装置において、
支払われた支払金額と、前記商品を保持して施錠手段により施錠された商品保持部内の前記商品の販売金額との大小関係を判定する支払判定部と、
前記支払判定部が前記支払金額が前記販売金額と一致することを判定すると、前記施錠手段を開錠させる開錠部と、
を有することを特徴とする支払処理装置。
【請求項２】
前記支払処理装置は、
前記支払判定部が前記支払金額が前記販売金額よりも大きいことを判定すると、前記支払金額に対する釣銭を出金して、
前記釣銭が取得されたことを検知すると、
前記開錠部を開錠させる、
ことを特徴とする請求項１記載の支払処理装置。
【請求項３】
前記商品保持部は前記施錠手段により電磁的に施錠されており、
前記開錠部は前記施錠手段を電磁的に開錠させる、
ことを特徴とする請求項１記載の支払処理装置。
【請求項４】
商品を識別する商品識別情報と前記商品識別情報ごとに設定された前記商品の販売金額とを保持する商品情報保持部と、
商品から前記商品の商品識別情報を取得する商品識別情報取得部と、
取得した前記商品識別情報に基づき、前記商品情報保持部を照会して前記商品の販売金額を特定して、前記商品の前記販売金額を登録する商品登録部と、
前記商品の前記販売金額に関する情報を通知する情報通知部と、
を有する商品登録処理装置と、
前記商品登録処理装置から通知された前記商品の前記販売金額を受け付ける情報受付部と、
支払われた支払金額と、前記商品登録処理装置による登録後に前記商品を保持して施錠手段により施錠された商品保持部内の前記商品の前記販売金額との大小関係を判定する支払判定部と、
前記支払判定部が前記支払金額が前記販売金額と一致することを判定すると、前記施錠手段を開錠させる開錠部と、
を有する支払処理装置と、
を備えることを特徴とする支払システム。
【発明の詳細な説明】
【技術分野】
【０００１】
本発明は、商品の商品登録処理及び当該商品に対する支払処理を個別に実行する支払処理装置及び、当該商品の登録処理が行われた商品の支払処理を実行する支払システムに関する。
【背景技術】
【０００２】
スーパーマーケットやコンビニエンスストアをはじめとして、商品販売の現場では、ＰＯＳ（Point Of Sale）システムが広く普及している。ＰＯＳ端末は、バーコードスキャナを備え、商品に付されたバーコードをスキャンし、商品コードを取得する。そして、ＰＯＳ端末は、取得した商品コードで商品情報ファイルを検索し、商品名や販売価格等の商品情報を取得する。ＰＯＳ端末は、当該販売価格等の商品情報に基づいて、商品に対する支払いを顧客から受け付けて支払処理を実行する（例えば、特許文献１参照）。
【０００３】
近年では、このようなＰＯＳ端末の商品情報を取得する機能と、顧客による支払処理を実行する機能とを分離したＰＯＳシステムが利用されている（例えば、特許文献２参照）。このようなＰＯＳシステムを利用することにより、顧客の支払いまでの時間を短縮することができるようになる。
【先行技術文献】
【特許文献】
【０００４】
【特許文献１】特開２０１２−２４３１７１号公報
【特許文献２】特開２０１２−２４８１６２号公報
【発明の概要】
【発明が解決しようとする課題】
【０００５】
しかし、商品情報を取得する機能と、支払処理を実行する機能とが分離したＰＯＳシステムでは、オペレータによる商品情報の取得後、顧客が支払処理を自ら実行することから、顧客は、支払処理を実行せずに商品をそのまま外部に持って行ってしまうような不正を行うことができる。
【０００６】
本発明はこのような点を鑑みてなされたものであり、顧客に商品の支払いを必ず実行させることができる支払処理装置及び支払システムを提供することを目的とする。
【課題を解決するための手段】
【０００７】
上記目的を達成するために、商品の支払処理を実行する支払処理装置において、支払われた支払金額と、前記商品を保持して施錠手段により施錠された商品保持部内の前記商品の販売金額との大小関係を判定する支払判定部と、前記支払判定部が前記支払金額が前記販売金額と一致することを判定すると、前記施錠手段を開錠させる開錠部と、を有する支払処理装置が提供される。
【０００８】
また、上記目的を達成するために、上記の支払処理装置を備える支払システムが提供される。
【発明の効果】
【０００９】
このような支払処理装置及び支払システムにより、顧客が支払処理を行わずに商品を持って行ってしまうという不正の発生を防止することができるようになる。
【図面の簡単な説明】
【００１０】
【図１】第１の実施の形態における支払システムを説明するための概略図である。
【図２】第２の実施の形態における支払システムが導入された店舗の一例を示す図である。
【図３】第２の実施の形態における支払システムの商品登録処理装置の外観の一例を示す図である。
【図４】第２の実施の形態における支払システムの支払処理装置の外観の一例を示す図である。
【図５】第２の実施の形態における支払システムの商品登録処理装置及び支払処理装置のハードウェア構成例を示す図である。
【図６】第２の実施の形態における支払システムで利用される商品登録済籠の外観の一例を示す図である。
【図７】第２の実施の形態における支払システムで利用される商品登録済籠の蓋部の開閉機構の一例を示す図である。
【図８】第２の実施の形態における支払システムで利用される商品登録済籠の蓋部のロック機構の一例を示す図である。
【図９】第２の実施の形態における支払システムの商品登録処理装置で実行される商品受付処理のフローチャートである。
【図１０】第２の実施の形態における支払システムで利用される商品マスタ、登録済商品リスト、支払リスト、支払券の一例を示す図である。
【図１１】第２の実施の形態における支払システムの支払処理装置で実行される支払処理のフローチャート（その１）である。
【図１２】第２の実施の形態における支払システムの支払処理装置で実行される支払処理のフローチャート（その２）である。
【図１３】第２の実施の形態における支払システムの支払処理装置で実行される支払処理時の支払画面の一例を示す図である。
【発明を実施するための形態】
【００１１】
以下、図面を参照して実施の形態について説明する。
［第１の実施の形態］
支払システムでは、取引対象の商品の商品登録を行うと、当該商品を商品保持部に保持させて、当該商品保持部を施錠する。続いて、支払システムでは、当該商品の支払処理が完了すると、当該商品所持部を開錠させるものである。
【００１２】
このような支払システムについて、図１を用いて説明する。
図１は、第１の実施の形態における支払システムを説明するための概略図である。
支払システム１０は、商品登録処理装置２０及び支払処理装置３０を備える。商品登録処理装置２０及び支払処理装置３０は、例えば、ネットワーク（図示を省略）を介して通信可能に接続されている。
【００１３】
商品登録処理装置２０は、顧客が選択した商品の商品登録処理を実行するものであって、商品情報保持部２１と、商品識別情報取得部２２、商品登録部２３、情報通知部２４を有する。
【００１４】
商品情報保持部２１は、商品を識別する商品識別情報と商品識別情報ごとに設定された商品の販売金額とを保持する。商品情報保持部２１は、商品に関するこのような情報を予め保持する。
【００１５】
商品識別情報取得部２２は、商品から当該商品の商品識別情報を取得する。商品識別情報取得部２２は、例えば、バーコード読み取り装置により商品に付されたバーコードを読み取り、当該バーコードから商品の商品識別情報を取得する。
【００１６】
商品登録部２３は、取得した商品識別情報に基づき、商品情報保持部２１を照会して商品の販売金額を特定して、商品の販売金額を登録する。
情報通知部２４は、商品の販売金額に関する情報を通知する。
【００１７】
また、支払処理装置３０は、商品登録処理装置２０により商品登録された商品に対して顧客から支払金額を受け付けて支払処理を実行するものであって、情報受付部３１と、支払判定部３２、開錠部３３を有する。
【００１８】
情報受付部３１は、商品登録処理装置２０から通知された商品の販売金額を受け付ける。
支払判定部３２は、支払われた支払金額と、商品登録処理装置２０による登録後に商品を保持して施錠手段Ｂ１により施錠された商品保持部Ｂ内の商品の販売金額との大小関係を判定する。
【００１９】
開錠部３３は、支払判定部３２が支払金額が販売金額と一致することを判定すると、施錠手段Ｂ１を開錠させる。
なお、少なくとも商品登録処理装置２０の商品識別情報取得部２２と、商品登録部２３、情報通知部２４は、商品登録処理装置２０が備える図示しないＣＰＵ（Central Processing Unit）によって商品登録プログラムが実行されることにより、その処理機能が実現される。
【００２０】
また、少なくとも支払処理装置３０の情報受付部３１と、支払判定部３２、開錠部３３は、支払処理装置３０が備える図示しないＣＰＵによって支払処理プログラムが実行されることにより、その処理機能が実現される。
【００２１】
このような支払システム１０で行われる商品登録方法及び支払方法について、図１を用いて説明する。
顧客は、店舗内において、例えば、商品を入れるための籠である、商品保持部Ａに、所望の商品Ｘを入れる。
【００２２】
顧客は、所望の商品Ｘを全て商品保持部Ａに入れると、商品登録処理装置２０で商品登録処理を行うオペレータに商品保持部Ａを提出する。
オペレータは、商品保持部Ａが保持する商品Ｘに付されているバーコードに、バーコード読取装置をかざす。
【００２３】
すると、商品識別情報取得部２２は、バーコード読取装置が読み取ったバーコードから商品Ｘの商品識別情報（例えば、「ａａａ」：図１参照）を取得する。
商品登録部２３は、取得した商品識別情報（「ａａａ」）に基づき、商品情報保持部２１を照会して商品の販売金額（「ｐ」）を特定して、商品の販売金額を登録する。オペレータは商品登録が完了した商品Ｘを商品保持部Ｂに保持させる。
【００２４】
このようにしてオペレータによる商品保持部Ａが保持する全ての商品Ｘのバーコードの読み取りが終了すると、オペレータの操作に基づき、情報通知部２４は、全ての商品Ｘの販売金額に関する情報を支払処理装置３０に通知する。また、オペレータはこのようにして商品登録が全て終了した商品Ｘを保持する商品保持部Ｂを施錠手段Ｂ１により施錠して、商品保持部Ｂ内の商品Ｘを取り出せないようにする。
【００２５】
なお、全ての商品登録が終了すると、商品登録処理装置２０は、このような商品登録に対応付けられた識別情報が付された支払券を顧客に発券する。
次いで、顧客は、施錠手段Ｂ１により施錠された商品保持部Ｂと共に支払券を持って、支払処理装置３０に移動する。
【００２６】
顧客は、支払処理装置３０に支払券に付された識別情報を、直接入力または読み取らせる等する。
支払処理装置３０は、支払券に付された識別情報に基づき、支払券に付された識別情報に対応する商品登録を識別して、顧客から支払金額の支払いを受け付ける。
【００２７】
支払判定部３２は、顧客から支払われた支払金額と、商品登録処理装置２０による登録後に商品を保持して施錠手段Ｂ１により施錠された商品保持部Ｂ内の商品における販売金額との大小関係を判定する。
【００２８】
開錠部３３は、支払判定部３２が支払金額と販売金額とが一致することを判定すると、施錠手段Ｂ１を開錠させて、支払処理が正常に完了する。
顧客は、支払処理の完了に伴って開錠された商品保持部Ｂから商品Ｘを取り出すことができる。
【００２９】
このように上記支払システム１０において、商品登録処理装置２０では、商品識別情報取得部２２が、商品Ｘから商品Ｘの商品識別情報を取得して、商品登録部２３が、取得した商品識別情報に基づき、商品情報保持部２１を照会して商品の販売金額を特定して、商品の販売金額を登録する。なお、このような商品登録後、オペレータにより、当該商品Ｘを保持する商品保持部Ｂの施錠手段Ｂ１により商品保持部Ｂが施錠されて、商品保持部Ｂから商品Ｘを取り出せなくする。
【００３０】
また、上記支払システム１０において、商品保持部Ｂに保持された商品Ｘの支払いの際には、支払処理装置３０は、顧客から支払金額を受け付けると、支払判定部３２が、当該支払金額と、商品登録処理装置２０による登録後に商品を保持して施錠手段Ｂ１により施錠された商品保持部Ｂ内の商品における販売金額との大小関係を判定する。開錠部３３は、支払判定部３２が支払金額が販売金額と一致することを判定すると、施錠手段Ｂ１を開錠させる。
【００３１】
このような支払システム１０（または支払処理装置３０）により、顧客による、登録処理が完了された商品Ｘを支払処理を行わずに持ち出す等の不正を防止することができるようになる。
【００３２】
［第２の実施の形態］
次に、第１の実施の形態をより具体化した場合を例に挙げて、第２の実施の形態について説明する。
【００３３】
まず、支払システムが導入された店舗の例について図２を用いて説明する。
図２は、第２の実施の形態における支払システムが導入された店舗の一例を示す図である。なお、図２を店舗１０００の上方から見たところを表している。
【００３４】
スーパーマーケット等の店舗１０００のその内部は、例えば、商品等が陳列されており、顧客が移動して所望の商品を選択することができる商品陳列領域（売場）と、顧客により選択された商品の支払いを行う支払システム１００が（図２では、３セット）設置された精算領域とに分けられる。
【００３５】
支払システム１００は、商品登録処理装置２００と、支払処理装置３００とを備える。
商品登録処理装置２００は、オペレータＹによる操作に応じて、商品登録処理を実行する。顧客Ｘは、所望の商品が入れられた買い物籠４００をオペレータＹに提出する。オペレータＹの操作入力に伴って商品登録処理装置２００は、提出された買い物籠４００に入れられた商品の商品登録処理を実行する。
【００３６】
なお、オペレータＹは、商品登録ごとに買い物籠４００の商品を商品登録済籠５００に移送する。オペレータＹは、全ての商品登録処理を行って、買い物籠４００から商品登録済籠５００への全ての商品の移送が完了すると、商品登録済籠５００の蓋部を閉めて施錠する。また、商品登録処理装置２００は、全ての商品登録処理の完了後、オペレータＹからの所定の操作入力に基づき、商品登録処理が完了した商品登録を識別する識別情報（支払取引識別情報）が記載されて支払券を発券する。
【００３７】
支払処理装置３００は、施錠された商品登録済籠５００内の商品の支払処理を実行する。顧客Ｘは、商品登録処理装置２００から、支払券と共に商品登録済籠５００を持って支払処理装置３００に移動する。支払処理装置３００は、支払券から支払対象となる商品登録を識別し、顧客Ｘから支払いを受け付ける。支払処理装置３００は、識別した商品登録に対応する総販売額と、顧客Ｘから支払いを受け付けた受付金とが一致すると、商品登録済籠５００の蓋の施錠を開錠する。
【００３８】
次に、このような支払システム１００の詳細について説明する。
まず、支払システム１００の商品登録処理装置２００について図３を用いて説明する。
図３は、第２の実施の形態における支払システムの商品登録処理装置の外観の一例を示す図である。
【００３９】
商品登録処理装置２００は、商品に付された商品コードの入力作業を行って、当該商品の商品登録処理を行うための装置である。商品登録処理装置２００は、レーン台２０１と、支柱２０２、固定スキャナ２０３、スピーカ２０４、多項目キーボード２０５、ディスプレイ２０６、カスタマディスプレイ２０７、タッチパネル２０８を有する。
【００４０】
レーン台２０１は、支柱２０２を支持する。また、レーン台２０１には、顧客が持参した買い物籠４００や、買い物籠４００に入れられた商品が載置される。支柱２０２は、固定スキャナ２０３と、スピーカ２０４、多項目キーボード２０５、ディスプレイ２０６、カスタマディスプレイ２０７、タッチパネル２０８を支持する。固定スキャナ２０３は、商品に付与されたバーコードを読み取るための装置である。オペレータは、商品に付されたバーコードを固定スキャナ２０３に向けてかざすことで、固定スキャナ２０３を入力装置とした商品コードの入力を行う。商品コードの入力結果は、ディスプレイ２０６に表示されて、オペレータが商品コードの入力結果を確認することができる。
【００４１】
タッチパネル２０８は、バーコードの付されていない商品（例えば、ばら売りの野菜や魚等の生鮮食料品や、惣菜等）をディスプレイ２０６に表示される商品群から選択する入力装置である。カスタマディスプレイ２０７は、顧客側に登録する商品に関する取引情報を表示する表示装置であり、例えば、商品コードを入力した商品の名称、単価等を表示する。また、スピーカ２０４により音声で入力結果を報知する。例えば、スピーカ２０４は、入力が正常になされたときと、入力についてオペレータに注意喚起をする必要があるとき等の状態に応じて異なる態様の音声出力を行う。より具体的には、例えば、正常時は、「ピッ」という単発音で、注意喚起時は、「ピピッ」という連続音のようにオペレータが容易に区別可能な音声出力を行う。多項目キーボード２０５は、オペレータの操作を受け付ける。例えば、多項目キーボード２０５は、スピーカ２０４からの音声出力で注意喚起されたときに、操作の誤りを認識したオペレータによる訂正操作を受け付ける。
【００４２】
次いで、支払システム１００の支払処理装置３００について図４を用いて説明する。
図４は、第２の実施の形態における支払システムの支払処理装置の外観の一例を示す図である。
【００４３】
支払処理装置３００は、顧客が自分自身で商品の支払いを行うための装置である。支払処理装置３００は、ディスプレイ３０１と、タッチパネル３０２、監視カメラ３０３、レジ袋懸吊部３０４、硬貨入出金口３０５、商品登録済籠載置台３０６、紙幣入出金口３０７、ロック開錠部３０８、バーコードスキャナ３０９、プリンタ出力口（レシート用）３１０、クレジットカード挿入口３１１を備える。
【００４４】
商品登録済籠載置台３０６は、顧客が支払い前の商品を入れた商品登録済籠５００を載置する台である。バーコードスキャナ３０９は、レーザ走査線を支払券に照射して、支払券に付されたバーコードを読み取る。支払処理装置３００は、読み取ったバーコードに基づき、支払対象の取引を特定する。なお、バーコードスキャナ３０９で支払券のバーコードを正常に読み取ることができない場合には、顧客は、タッチパネル３０２に当該バーコードに対応する支払取引識別番号を直接入力することができる。
【００４５】
ディスプレイ３０１は、読み取ったバーコードに基づいて、支払対象となる商品の商品名、商品単価、支払対象の合価等の情報を表示する。また、ディスプレイ３０１は、顧客が硬貨入出金口３０５及び紙幣入出金口３０７並びにクレジットカード挿入口３１１へのクレジットカードの挿入を介して顧客から支払われた支払金額を表示する。また、顧客から支払われた支払金額にお釣りがある場合には、そのお釣りは硬貨入出金口３０５及び紙幣入出金口３０７から顧客に支払われる。監視カメラ３０３は、顧客が支払いする手元を撮影し、支払処理装置３００とは別に、例えば、サービスカウンタ等にある監視端末装置のディスプレイに撮影画像を表示する。撮影した画像は、不正対策の他、操作方法が分からない顧客への操作案内に用いられる。
【００４６】
ロック開錠部３０８は、商品登録済籠５００の蓋の施錠を開錠する。支払処理が終了して顧客により商品登録済籠５００がロック開錠部３０８上に載置されると、ロック開錠部３０８は商品登録済籠５００の蓋部を開錠して、支払内容をプリンタで印字してプリンタ出力口３１０からレシートを出力する。
【００４７】
次に、商品登録処理装置２００及び支払処理装置３００が備えるハードウェア構成について図５を用いて説明する。
図５は、第２の実施の形態における支払システムの商品登録処理装置及び支払処理装置のハードウェア構成例を示す図である。
【００４８】
なお、図５では、商品登録処理装置２００及び支払処理装置３００が共通して備えるハードウェア構成を記載している。
商品登録処理装置２００及び支払処理装置３００は、商品登録処理装置２００及び支払処理装置３００で実行される処理の制御を行う制御ユニット２１０／３２０を備える。
【００４９】
制御ユニット２１０／３２０は、ＣＰＵ２１１／３２１と、ＲＡＭ（Random Access Memory）２１２／３２２、ＨＤＤ（Hard Disk Drive）２１３／３２３、通信インタフェース２１４／３２４、グラフィック処理部２１５／３２５、入出力インタフェース２１６／３２６を備えており、これらの各部はバス２１７／３２７で相互に接続されている。
【００５０】
ＣＰＵ２１１／３２１は、ＨＤＤ２１３／３２３等の記憶媒体に記憶された各種プログラムを実行することにより、商品登録処理装置２００及び支払処理装置３００全体を統括的に制御する。
【００５１】
ＲＡＭ２１２／３２２には、ＣＰＵ２１１／３２１に実行させるＯＳ並びにプログラムの少なくとも一部が一時的に格納される。また、ＲＡＭ２１２／３２２には、ＣＰＵ２１１／３２１による処理に必要な各種データが格納される。
【００５２】
ＨＤＤ２１３／３２３には、商品登録処理装置２００及び支払処理装置３００上のＯＳやアプリケーションのプログラムが格納される。また、ＨＤＤ２１３／３２３には、ＣＰＵ２１１／３２１による処理に必要な各種情報が格納される。
【００５３】
通信インタフェース２１４／３２４は、ネットワーク６００を介して、商品登録処理装置２００及び支払処理装置３００が互いに通信可能に接続されて信号の送受信を行う。
グラフィック処理部２１５／３２５には、ディスプレイ２０６及びカスタマディスプレイ２０７（図３）とディスプレイ３０１（図４）とがそれぞれ接続されている。グラフィック処理部２１５／３２５は、ＣＰＵ２１１／３２１からの命令に従って所定の画面をディスプレイ２０６及びカスタマディスプレイ２０７（図３）とディスプレイ３０１（図４）とにそれぞれ表示させる。
【００５４】
入出力インタフェース２１６／３２６には、外部装置がそれぞれ接続されている。入出力インタフェース２１６には、図３に示したように、少なくとも、固定スキャナ２０３と、スピーカ２０４、多項目キーボード２０５、タッチパネル２０８がそれぞれ接続されている。また、入出力インタフェース３２６には、図４に示したように、少なくとも、タッチパネル３０２と、監視カメラ３０３、硬貨入出金口３０５、紙幣入出金口３０７を備える紙幣処理ユニット、ロック開錠部３０８、バーコードスキャナ３０９、プリンタ出力口３１０を備え、印字を行うプリンタ、クレジットカード挿入口３１１を備え、クレジットカードに対する読み書きを行うクレジットカード処理ユニットがそれぞれ接続されている。
【００５５】
また、入出力インタフェース２１６／３２６は、可搬型記録媒体２１８／３２８への情報の書き込み、及び可搬型記録媒体２１８／３２８への情報の読み出しが可能な可搬型記録媒体インタフェースと接続可能になっている。入出力インタフェース２１６／３２６は、バス２１７／３２７を介してＣＰＵ２１１／３２１からの制御信号を各装置に通知し、各装置からの信号を同様にＣＰＵ２１１／３２１に通知する。
【００５６】
次に、支払システム１００で利用される商品登録済籠５００について、図６〜図８を用いて説明する。
図６は、第２の実施の形態における支払システムで利用される商品登録済籠の外観の一例を示す図である。
【００５７】
また、図７は、第２の実施の形態における支払システムで利用される商品登録済籠の蓋部の開閉機構の一例を示す図である。なお、図７（Ａ）は、収容部の開口に対して蓋部が開けられている場合、図７（Ｂ）は蓋部が閉じられている場合のヒンジ部近傍の断面をそれぞれ表している。
【００５８】
図８は、第２の実施の形態における支払システムで利用される商品登録済籠の蓋部のロック機構の一例を示す図である。
なお、図８（Ａ）は、蓋部が収容部に対してロックされる位置までの動きの状態、図８（Ｂ）は、蓋部が収容部に対してロックされている状態のロック部近傍の断面をそれぞれ表している。
【００５９】
商品登録済籠５００は、商品を収容する収容部５１０と、収容部５１０に設置された蓋部５２０とを備える。
収容部５１０は、例えば、網状を成して収容領域が構成されて、開口５１１から商品を入れて収容し、収容している商品を取り出すことができる。また、収容部５１０には、一対の取っ手５１２が設置されている。なお、買い物籠４００は、例えば、この収容部５１０のみにより構成されることも可能である。
【００６０】
蓋部５２０は、ヒンジ部５２１を介して、収容部５１０の開口５１１に対して開けられた状態（図７（Ａ））から、閉じられた状態（図７（Ｂ））に、またはその逆の状態に回転自在に設置されている。
【００６１】
また、蓋部５２０は、収容部５１０の開口５１１を閉じた状態で、収容部５１０に対して施錠するロック部５２２が設置されている。蓋部５２０で収容部５１０の開口５１１を閉じるとロック部５２２が収容部５１０の枠部に嵌合する（図８（Ａ））。ロック部５２２はこの状態でオペレータの操作により係止部５２３が可動する（図８（Ｂ））。これにより、ロック部５２２が収容部５１０の枠部に対してロックされて、収容部５１０の開口５１１が蓋部５２０により閉じられる。また、このようなロック部５２２は、電磁的に開錠される。ロック部５２２は、例えば、外部からの電磁波により、係止部５２３を元の位置に移動させてロックを開錠する。
【００６２】
なお、このような収容部５１０に対する蓋部５２０のロック機構は一例であって、別のロック機構を適用することも可能である。
次に、このような支払システム１００により実行される処理について説明する。
【００６３】
まず、支払システム１００の商品登録処理装置２００により実行される商品受付処理について図９及び図１０を用いて説明する。
図９は、第２の実施の形態における支払システムの商品登録処理装置で実行される商品受付処理のフローチャートである。
【００６４】
なお、図９（Ａ）は商品受付処理、図９（Ｂ）は商品登録処理、図９（Ｃ）は支払リスト作成処理をそれぞれ表している。
また、図１０は、第２の実施の形態における支払システムで利用される商品マスタ、登録済商品リスト、支払リスト、支払券の一例を示す図である。
【００６５】
なお、図１０（Ａ）は商品マスタ、図１０（Ｂ）は登録済商品リスト、図１０（Ｃ）は支払リスト、図１０（Ｄ）は支払券の一例をそれぞれ表している。
図２に示したように、顧客が所望の商品を入れた買い物籠４００を持って商品登録処理装置２００に移動して、オペレータに買い物籠４００を提出する。商品登録処理装置２００は、オペレータＹの操作により、以下の処理（図９（Ａ））を実行して、商品を受け付けて、商品の商品コードの入力を行う。
【００６６】
［ステップＳ１１］  商品登録処理装置２００は、固定スキャナ２０３の買い物単位のデータを記憶する記憶領域の初期化を行う。固定スキャナ２０３の初期化は、例えば、オペレータによる多項目キーボード２０５またはタッチパネル２０８に対する操作入力に基づいて行われる。具体的には、商品登録処理装置２００は、顧客の買い物一回ごとに登録済商品リスト（後述する図１０（Ｂ）参照）の初期化を行う。
【００６７】
［ステップＳ１２］  商品登録処理装置２００は、商品コードの入力を終了するか否かを判定する。商品登録処理装置２００は、商品コードの入力の終了判定を、オペレータによる多項目キーボード２０５またはタッチパネル２０８に対する操作入力を受けて判定する。
【００６８】
商品登録処理装置２００は、商品コードの入力を終了すると判定した場合は、商品コードの入力を終了して、ステップＳ１５に進む。一方、商品登録処理装置２００は、商品コードの入力を終了しないと判定した場合は、ステップＳ１３に進む。
【００６９】
例えば、オペレータは、全ての商品から商品コードの読み取りを終えると、多項目キーボード２０５またはタッチパネル２０８の商品コードの入力終了に対応するボタンをタッチする。商品登録処理装置２００は、オペレータからのこのようなタッチ操作入力を受け付けることで、商品コードの入力の終了を判定する。
【００７０】
［ステップＳ１３］  商品登録処理装置２００は、固定スキャナ２０３から商品に付されたバーコードを読み取る。なお、バーコードが付されていない商品については、商品登録処理装置２００は、オペレータにより多項目キーボード２０５またはタッチパネル２０８から商品種別、数量等が入力される。
【００７１】
［ステップＳ１４］  商品登録処理装置２００は、入力データ（固定スキャナ２０３から読み取ったバーコード、または多項目キーボード２０５、タッチパネル２０８からの入力データ）に基づき、買い物単位に記憶する支払対象となる商品をリストとして登録する商品登録処理を実行する。
【００７２】
例えば、図１０（Ｂ）に示されるように、商品登録処理装置２００が買い物単位に記憶する支払対象となった商品のリストとして、商品の商品コードに対して、商品名と、商品単価、数量、その合計金額を表す合価が登録される。
【００７３】
なお、オペレータは商品登録処理が完了した商品を買い物籠４００から商品登録済籠５００に移送する。
なお、商品登録処理の詳細は、図９（Ｂ）を用いて後で説明する。
【００７４】
［ステップＳ１５］  商品登録処理装置２００は、ステップＳ１４で作成された登録済商品リストに基づいて、買い物ごとに支払取引識別情報（支払取引ＩＤ）を対応付けて、支払取引に関する支払リストを作成する。例えば、図１０（Ｃ）に示されるように、ステップＳ１４で作成された登録済商品リストに対して支払取引識別情報を対応付けて、商品数、総販売額、（商品登録済籠５００の）籠個数、商品取引処理を実行したレーン、日時に関する情報により構成される支払リストを作成する。
【００７５】
なお、ステップＳ１５の処理の詳細については後述する。
［ステップＳ１６］  商品登録処理装置２００は、ステップＳ１４で作成した登録済商品リストと共に、ステップＳ１５で作成した支払リストを支払処理装置３００に通知する。
【００７６】
［ステップＳ１７］  商品登録処理装置２００は、支払識別情報に対応したバーコードと共に、ステップＳ１５で作成した支払リストの情報を印字した支払券を発券する。
例えば、商品登録処理装置２００は、ステップＳ１５で作成した支払リスト（図１０（Ｃ））に基づいて、図１０（Ｄ）に示すように、支払対象識別情報（「１０００１１１１０１」）に対応したバーコードと、商品数（「３点」）、総販売額（「￥２８２７」）、日時等を印字した支払券を発券する。
【００７７】
以上のフローチャートにより、商品登録処理装置２００が実行する商品受付処理が終了する。
また、商品登録処理装置２００によって実行されるステップＳ１４の処理について図９（Ｂ）を用いて説明する。
【００７８】
［ステップＳ１４ａ］  商品登録処理装置２００は、ステップＳ１３で読み取ったバーコードから商品コードを取得すると共に、商品マスタを照会する。
商品マスタは、例えば、図１０（Ａ）に示されるように、商品コードに対して、商品名、当該商品の単価、当該商品が陳列されている陳列エリア等の情報が記録されている。商品登録処理装置２００は、予め、商品マスタの情報を保持している。
【００７９】
［ステップＳ１４ｂ］  商品登録処理装置２００は、ステップＳ１３で読み取ったバーコードに対応する商品コードに基づき、照会した商品マスタから当該商品コードに対応する商品名、単価に関する情報を取得する。
【００８０】
商品登録処理装置２００は、商品コードに対して、取得した商品名、単価、数量を登録済商品リストに追加する。
なお、この際、商品登録処理装置２００は、読み取ったバーコードに対応する商品コードが、既に登録してある商品コードである場合には、当該商品コードに対する数量に１を加えて更新する。
【００８１】
［ステップＳ１４ｃ］  商品登録処理装置２００は、商品コードに対する商品単価と数量とから当該商品の合価を算出する。
［ステップＳ１４ｄ］  商品登録処理装置２００は、ステップＳ１４ｄで登録した登録済商品リストにステップＳ１４ｃで算出した合価を追加することで、例えば、図１０（Ｂ）に示すように、登録済商品リストに対する商品登録処理が終了する。
【００８２】
以上のフローチャートにより、商品登録処理装置２００が実行する商品登録処理が終了して、商品登録処理装置２００は、再び、ステップＳ１２の処理を実行する。
また、商品登録処理装置２００によって実行されるステップＳ１５の処理について図９（Ｃ）を用いて説明する。
【００８３】
［ステップＳ１５ａ］  商品登録処理装置２００は、ステップＳ１２で商品コードの入力終了を判定すると、商品登録処理が完了した商品が入れられた商品登録済籠５００の個数をオペレータから受け付ける。
【００８４】
オペレータは、商品登録処理が行われた全商品が移送された商品登録済籠５００の個数を、多項目キーボード２０５またはタッチパネル２０８により入力する。これにより、商品登録処理装置２００は、商品登録済籠５００の個数を受け付ける。
【００８５】
例えば、商品登録済籠が２個利用されている場合には、商品登録処理装置２００は、オペレータにより籠の個数として２個を受け付ける。商品登録処理装置２００は、買い物ごとに支払取引識別情報を対応付けて、取得した籠個数を支払リストに追加する。
【００８６】
［ステップＳ１５ｂ］  商品登録処理装置２００は、少なくとも、自身が位置するレーン及び日時に関する情報を取得する。
例えば、商品登録処理装置２００に「２番」レーンが対応付けられている場合に、商品登録処理装置２００は、レーンの番号として「２」番と共に、当該受付時の日時を取得する。商品登録処理装置２００は、ステップＳ１５ａで追加した支払リストに、取得したレーン番号、日時をさらに追加する。
【００８７】
［ステップＳ１５ｃ］  商品登録処理装置２００は、ステップＳ１４で作成した登録済商品リストを参照して、全ての商品の総販売額を算出する。
例えば、商品登録処理装置２００は、登録済商品リストを参照して、各合価を全て足し合わせることで総販売額を算出する。
【００８８】
［ステップＳ１５ｄ］  商品登録処理装置２００は、ステップＳ１５ｂで追加した支払リストに、ステップＳ１５ｃで算出した総販売額と共に登録済商品リストに基づく商品数をさらに追加する。これにより、例えば、図１０（Ｃ）に示すような、支払リストが作成される。
【００８９】
以上により、支払リスト作成処理が終了して、商品登録処理装置２００は、ステップＳ１６の処理を実行する。
オペレータは、このような商品受付処理が完了すると、商品登録された商品が移送された全ての商品登録済籠５００の収容部５１０の開口５１１を蓋部５２０により閉じる。また、オペレータは、ロック部５２２を稼働させて、収容部５１０に対して蓋部５２０を施錠する。
【００９０】
次に、支払システム１００の支払処理装置３００により実行される支払処理について図１１〜図１３を用いて説明する。
図１１及び図１２は、第２の実施の形態における支払システムの支払処理装置で実行される支払処理のフローチャートである。
【００９１】
また、図１３は、第２の実施の形態における支払システムの支払処理装置で実行される支払処理時の支払画面の一例を示す図である。
顧客は、オペレータの操作により施錠された商品登録済籠５００と支払券とを持って支払処理装置３００に移動する。顧客は、支払処理装置３００の商品登録済籠載置台３０６に商品登録済籠５００を載置して、バーコードスキャナ３０９に支払券のバーコードをかざす。または、顧客は、支払券のバーコードが正常に読み取られなかった場合には、支払処理装置３００のタッチパネル３０２で支払取引識別情報（バーコードの下部に記載（図１０（Ｄ）））を直接入力する。支払処理装置３００はかざされたバーコードを読み取る（支払取引識別情報が入力される）と、以下の処理を実行する。
【００９２】
［ステップＳ２１］  支払処理装置３００は、支払金を保持する領域を初期化して、読み取ったバーコードに対する支払取引識別情報に基づいて、商品登録処理装置２００から通知された支払リストを照会する。
【００９３】
［ステップＳ２２］  支払処理装置３００は、支払リスト中に支払取引識別情報の有無、即ち、支払いの対象取引の有無を判定する。
支払処理装置３００が支払リスト中に支払取引識別情報がある、即ち、支払いの対象取引があることを判定すると、ステップＳ２３に進められる。一方、支払処理装置３００が支払リスト中に支払取引識別情報がない、即ち、支払いの対象取引がないことを判定すると、支払処理を終了する。
【００９４】
［ステップＳ２３］  支払処理装置３００は、顧客から支払方法を受け付ける。
例えば、図１３に示す支払画面の一例では、ディスプレイ３０１には、支払明細と共に、支払方法を選択させるボタンが表示されている。顧客は支払明細を確認すると、支払方法として、現金で支払う場合には「現金」またはクレジットカードで支払う場合には「カード（クレジットカード）」に対応するタッチパネル３０２上のボタンをタッチする。
【００９５】
［ステップＳ２４］  支払処理装置３００は、支払方法として現金を受け付けると、ステップＳ２７に進められ、クレジットカードを受け付けるとステップＳ２５に進められる。
【００９６】
［ステップＳ２５］  支払処理装置３００は、クレジットカードの受け付けを待ち受ける。
支払処理装置３００は、クレジットカード挿入口３１１にクレジットカードが挿入されることを検知すると、ステップＳ２６に進められる。
【００９７】
［ステップＳ２６］  支払処理装置３００は、受け付けたクレジットカードから読み取ったカードの情報を当該クレジットカード会社のサーバ（図示を省略）に照会する。
支払処理装置３００は、照会完了の応答を待機して、当該サーバからの応答により照会が完了するとステップＳ３２に進められる。
【００９８】
［ステップＳ２７］  支払処理装置３００は、顧客から支払金を受け付ける。
例えば、支払処理装置３００は、ステップＳ２４の処理後、ディスプレイ３０１に、硬貨入出金口３０５及び紙幣入出金口３０７から現金投入案内の画面（図示を省略）を表示する。顧客は、硬貨入出金口３０５及び紙幣入出金口３０７に硬貨並びに紙幣をそれぞれ投入する。
【００９９】
［ステップＳ２８］  支払処理装置３００は、顧客から受け付けた支払金が総購入額以上か否かを判定する。
支払処理装置３００は、支払金が総購入額以上であれば、ステップＳ２９の処理に進められ、支払金が総購入額未満であれば、再びステップＳ２７の処理に進められる。
【０１００】
［ステップＳ２９］  支払処理装置３００は、ステップＳ２７で受け付けた支払金が総購入額よりも大きいこと、即ち、お釣りが発生することを判定すると、ステップＳ３０に進められる。
【０１０１】
また、支払処理装置３００は、ステップＳ２７で受け付けた支払金が総購入額と等しいこと、即ち、お釣りが発生しないことを判定すると、ステップＳ３２に進められる。
［ステップＳ３０］  支払処理装置３００は、支払金から総購入額を引いた差額分を硬貨入出金口３０５及び紙幣入出金口３０７から出金する。
【０１０２】
［ステップＳ３１］  支払処理装置３００は、顧客に対してお釣りの返却が完了されたか否かを判定する。
例えば、支払処理装置３００は、出金したお釣りが硬貨入出金口３０５及び紙幣入出金口３０７から取り出されたことを検知することにより、お釣りの返却を判定することができる。
【０１０３】
支払処理装置３００は、お釣りが返却されることを待機して、お釣りが返却されることを判定すると、ステップＳ３２に進められる。
［ステップＳ３２］  支払処理装置３００は、商品登録処理装置２００から通知された登録済商品リストに基づき印字したレシートをプリンタ出力口３１０から出力する。
【０１０４】
［ステップＳ３３］  支払処理装置３００は、顧客により商品登録済籠載置台３０６から商品登録済籠５００がロック開錠部３０８上に移設されると、ロック開錠部３０８を駆動させて、商品登録済籠５００のロック部５２２のロックを開錠する。
【０１０５】
［ステップＳ３４］  支払処理装置３００は、商品登録処理装置２００から通知された支払リストから取得した籠の個数から１個分を減らす。
［ステップＳ３５］  支払処理装置３００は、ステップＳ３４にて１個分減らされた籠の個数に基づき、開錠されていない残りの商品登録済籠の有無を判定する。
【０１０６】
支払処理装置３００は、ステップＳ３４にて１個分減らされた籠の個数が０ではないこと、即ち、開錠されていない残りの商品登録済籠があることを判定すると、ステップＳ３６に進められる。一方、支払処理装置３００は、ステップＳ３４にて１個分減らされた籠の個数が０であること、即ち、開錠されていない残りの商品登録済籠がないことを判定すると、支払処理が終了する。
【０１０７】
［ステップＳ３６］  支払処理装置３００は、商品登録済籠載置台３０６に別の商品登録済籠５００を載置するような誘導案内の画面（図示を省略）をディスプレイ３０１に通知する。
【０１０８】
以上により、支払処理装置３００による支払処理が終了する。
このように上記支払システム１００において、商品登録処理装置２００では、商品から商品の商品コードを取得して、取得した商品コードに基づき、商品リストから商品の単価を特定して、商品の数量に基づく合価を登録する。商品登録処理装置２００によるこのような商品登録後、オペレータは、当該商品を保持する商品登録済籠５００のロック部５２２により商品登録済籠５００に対して蓋部５２０を施錠して、商品登録済籠５００から商品を取り出せなくする。
【０１０９】
また、支払システム１００において、商品登録済籠５００に収容された商品の支払いの際には、支払処理装置３００は、顧客から支払いを受け付けると、当該受付金と、商品登録済籠５００内の全ての商品の総販売額との大小関係を判定する。支払処理装置３００は、受付金が総販売額と一致することを判定すると、ロック部５２２を開錠させる。
【０１１０】
このような支払システム１００（または支払処理装置３００）により、顧客による、登録処理が完了された商品を、支払処理を行わずに持ち出す等の不正を防止することができるようになる。
【０１１１】
また、支払処理装置３００は、顧客から支払いを受け付けた受付金が、商品登録済籠５００内の全ての商品の総販売額よりも大きい場合には、お釣りを顧客に返却する。この際、支払処理装置３００は、顧客によりお釣りが取り出されて、顧客にお釣りが返却されてから、ロック部５２２を開錠するようにした。このため、顧客のお釣りの取り忘れを確実に防止することができるようになる。
【０１１２】
なお、上記の処理機能は、コンピュータによって実現することができる。その場合、コンピュータが有すべき機能の処理内容を記述したプログラムが提供される。そのプログラムをコンピュータが実行することにより、上記処理機能がコンピュータ上で実現される。
【０１１３】
処理内容を記述したプログラムは、コンピュータで読み取り可能な記録媒体に記録しておくことができる。コンピュータで読み取り可能な記録媒体には、磁気記録装置、光ディスク、光磁気記録媒体、半導体メモリ等がある。磁気記録装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記録媒体には、ＭＯ（Magneto - Optical disk）等がある。半導体メモリには、ＵＳＢ（Universal Serial Bus）メモリ等のフラッシュメモリがある。
【０１１４】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１１５】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１１６】
また、プログラムで記述された処理の一部または全てを、電子回路に置き換えることが可能である。例えば、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現してもよい。
【符号の説明】
【０１１７】
１０  支払システム
２０  商品登録処理装置
２１  商品情報保持部
２２  商品識別情報取得部
２３  商品登録部
２４  情報通知部
３０  支払処理装置
３１  情報受付部
３２  支払判定部
３３  開錠部
Ａ，Ｂ  商品保持部
Ｂ１  施錠手段
【図１】
2014203101.tif 000003
【図２】
2014203101.tif 000004
【図３】
2014203101.tif 000005
【図４】
2014203101.tif 000006
【図５】
2014203101.tif 000007
【図６】
2014203101.tif 000008
【図７】
2014203101.tif 000009
【図８】
2014203101.tif 000010
【図９】
2014203101.tif 000011
【図１０】
2014203101.tif 000012
【図１１】
2014203101.tif 000013
【図１２】
2014203101.tif 000014
【図１３】
2014203101.tif 000015